(57)【特許請求の範囲】
【請求項１】
接続部品とプラグとを含み、
前記接続部品および前記プラグはそれぞれ、ケース、空心防水リング、接触体及び隔離ゲートユニットからなり、
前記隔離ゲートユニットは、絶縁弾性体と、可動導体とを含み、
当該可動導体が絶縁弾性体に固定されて絶縁弾性体を貫通し、
隔離ゲートユニットとケースとが接触体を密閉・包囲し、
前記接続部品がプラグと接続するときに、２つの空心防水リングと２つのケースとが隔離部を形成して可動導体を包囲し、
隔離部が空心防水リングの弾性変形によって変形し、絶縁弾性体が隔離部の変形によって弾性変形して可動導体を絶縁弾性体の弾性変形範囲内において移動させ、可動導体と接触体との接触を切断／導通させることを特徴とする防水絶縁コネクタ。
【請求項２】
前記接続部品と前記プラグとが、水平方向圧力式接続であることを特徴とする請求項１に記載の防水絶縁コネクタ。
【請求項３】
前記接続部品と前記プラグとが、サイド方向圧力式接続であることを特徴とする請求項１に記載の防水絶縁コネクタ。
【請求項４】
請求項１に記載の防水絶縁コネクタを含み、そのインターフェースが防水絶縁コネクタによって外部と接続し、防水隔離層が防水絶縁コネクタのケースと組み合わせて防水部を形成して自身を包囲することを特徴とする電子設備。

【発明の詳細な説明】
【技術分野】
【０００１】
本発明は、電源、USB、VGA、電気機器の差込口、SD、MS、MMCなどの任意の電気接続を、完全に防水絶縁可能な接続に改善したものに関し、つまり、電気機器におけるコネクタが接続しているか否かに係らず、完全で直接に、水またはその他の媒体中において正常な動作が確保できるものに関する。
【背景技術】
【０００２】
現在の防水接続とは、いずれもコネクタ（凹形部材と凸形部材材、メス部材とオス部材など）により包囲状態の接続を形成することで実現され、つまり、コネクタのプラグは、挿入されていない状態では、防水性を有しない。例えば、中国実用新案ZL03228669.4号（図２）、ZL03228668.6号（図３）、ZL03229142.6号（図４）、ZL200520116143.0号（図６）、また、中国特許出願200610093084.3号（図５）、200710028526.0号（図７）、95106652.8号（図９）、中国特許ZL01123034.7号（図８）には、関連する内容が開示されている。
【先行技術文献】
【特許文献】
【０００３】
【特許文献１】中国実用新案ZL03228669.4号
【特許文献２】中国実用新案ZL03228668.6号
【特許文献３】中国実用新案ZL03229142.6号
【特許文献４】中国実用新案ZL200520116143.0号
【特許文献５】中国特許出願200610093084.3号
【特許文献６】中国特許出願200710028526.0号
【特許文献７】中国特許出願95106652.8号
【特許文献８】中国特許ZL01123034.7号
【発明の概要】
【発明が解決しようとする課題】
【０００４】
これに対して、本発明の防水絶縁コネクタは、コネクタのプラグとレセプタクルとが接続しているか否かに関係なく、コネクタのプラグ及びコネクタのレセプタクルがいずれも防水性を有し、両方とも、完全に、水またはその他の媒体中で直接接続することが可能であり、電気機器の破壊や感電事故が発生する恐れがなく、複数を接続した場合であっても相互絶縁を確保することができる。本発明では、移動可能な導体および弾性絶縁体からなった隔離開閉組立体と、ハウジングおよび中空防水リングにより形成された隔離チャンバーとを用いて実現する。
【０００５】
技術上、本発明に係る防水絶縁コネクタの製造方法は、従来技術に比べ、画期的な進歩および本質的な区別を有している。本発明によれば、電気を、より人間にやさしく、安全的に利用することができる。
【０００６】
したがって、本発明は、電気機器（携帯電話、パソコン、家庭用電器製品など）に、別の電気機器と接続したか否かに関係なく、完全に防水可能な性能を与える防水絶縁コネクタを提供することであり、本発明により、電気機器のコネクタのプラグ及びレセプタクルは、接続と関係なく、水またはその他の媒体中で正常な動作を行うことができ、帯電した状態であっても、媒体中での防水絶縁性の接続を確保でき、さらに、複数を接続した場合でも同士の間の絶縁が実現できる。
【課題を解決するための手段】
【０００７】
上記目的を達成するために、本発明に係る防水絶縁コネクタは、コンタクト、隔離チャンバーを隔離する隔離開閉組立体を備え、上記隔離開閉組立体は、導体および弾性絶縁体を備え、電気のみが上記導体を介して伝導されるように、水または他の媒体の通過を隔離し、移動可能な導体が弾性絶縁体の弾性変形範囲で移動されることで、上記移動可能な導体と上記コンタクトとの切断および接続が行われるように、弾性変形が発生可能となっており、上記コンタクトは、インタフェースに接続される対象体と接続するようになっており、上記隔離チャンバーは、ハウジングおよび弾性体からなる弾性変形機構を備え、コネクタを囲むようになっている。
【０００８】
本発明の他の付加的技術方案は、以下の通りである。
【０００９】
上記防水絶縁コネクタにおいて、上記隔離開閉組立体の上記弾性絶縁体は、推圧力よりも小さい圧力を受けた場合には、初期均衡位置に保持され、推圧力よりも大きい圧力を受けた場合には、終期均衡位置に保持され、水または他の媒体と被接触体との接触を隔離するようになっていることが好ましい。
【００１０】
また、上記防水絶縁コネクタにおいて、上記隔離チャンバーは、ハウジングと中空防水リングとにより形成され、上記隔離チャンバーは、接続時に発生する上記中空防水リングの弾性変形に伴って変形され、上記導体を隔離するようになっており、上記導体同士の押圧力により上記隔離開閉組立体が推進され、コネクタのコンタクトが導体を介して電気的接続されるようになっていることが好ましい。
【００１１】
また、上記防水絶縁コネクタにおいて、上記隔離チャンバーは、ハウジングおよび該ハウジングの開口位置に配置されている弾性密閉部材を備え、上記コンタクトは、上記ハウジング内に取り付けられて、インタフェースに接続される対象体に接続するようになっており、上記隔離開閉組立体の上記弾性絶縁体は、上記ハウジングの開口位置に固定され、上記導体は、上記弾性絶縁体を貫通するように、上記弾性絶縁体に固定されており、上記導体は、上記弾性絶縁体の変形に伴って上記コンタクトと接触または離間するようになっており、上記コンタクトは、上記隔離開閉組立体および上記ハウジングにより密閉包囲されていることが好ましい。
【００１２】
上述した防水絶縁コネクタは電子装置に適用可能であり、すなわち、電子装置のインタフェースは、上記防水絶縁コネクタを介して外部と接続し、電子装置は、防水隔離層と上記防水絶縁コネクタのハウジングとの組合せにより形成された防水チャンバーの内部に囲まれるようになっていることが好ましい。
【発明の効果】
【００１３】
本発明は、（１）隔離開閉組立体と隔離チャンバーにとの組合せによりコネクタのコンタクトを隔離することによって、電気機器を、完全に水またはそ他の媒体中で正常に機能させることができる。これは、媒体とコネクタのコンタクトとが、隔離開閉組立体によって隔離されたので、コネクタにおける通路同士が媒体を介して接続することはないからである。（２）コネクタの初期接続により形成された隔離チャンバーは、導体を隔離することができ、さらに圧力を印加し続けて、コネクタが終期接続状態に至るようにすることで、移動可能な導体を介したコネクタのコンタクトの電気的接続の防水絶縁接続を実現することができる。これにより、電気機器は、故障や感電事故の恐れがなく、完全に、水または他の媒体中で直接接続することが可能となる。
【００１４】
本発明は、以下の図面を参照した実施形態例によって明らかになる。
【図面の簡単な説明】
【００１５】
【図１】本発明の実施形態に係る防水絶縁コネクタの初期接続状態を示す図である。
【図２】従来の防水絶縁コネクタを示す図である。
【図３】従来の防水絶縁コネクタを示す図である。
【図４】従来の防水絶縁コネクタを示す図である。
【図５】従来の防水絶縁コネクタを示す図である。
【図６】従来の防水絶縁コネクタを示す図である。
【図７】従来の防水絶縁コネクタを示す図である。
【図８】従来の防水絶縁コネクタを示す図である。
【図９】従来の防水絶縁コネクタを示す図である。
【図１０】図１に示す防水絶縁コネクタの終期接続状態を示す断面図である。
【図１１】本発明の一実施形態に係る平圧式防水絶縁コネクタの平面図である。
【図１２】図１０に示す平圧式防水絶縁コネクタの立体図である。
【図１３】本発明の一実施形態に係る平圧式防水絶縁コネクタのバッテリーに適用した場合の模式図である。
【図１４】図１２に示す平圧式防水絶縁コネクタの初期接続状態を示す模式図である。
【図１５】図１２に示す平圧式防水絶縁コネクタの終期接続状態を示す模式図である。
【図１６】本発明の一実施形態に係る防水絶縁コネクタを複数使用した場合の模式図である。
【図１７】図１６に示す実施形態の立体図である。
【図１８】本発明の他の一実施形態に係る側圧式防水絶縁コネクタを示す模式図である。
【図１９】図１８に示す実施形態の立体図である。
【図２０】本発明の他の一実施形態に係る側圧式防水絶縁コネクタを複数使用した場合の模式図である。
【図２１】本発明の実施形態に係る防水絶縁コネクタを電子装置に合わせて使用する場合の模式図である。
【発明を実施するための形態】
【００１６】
図１に示すように、本発明の一実施形態に係る防水絶縁コネクタは、ハウジング１１を備え、ハウジング１１の開口位置には、弾性密閉部材が設けられ、ハウジング１１の内部には、インタフェースに接続される対象と接続するコンタクト１３が設けられている。また、隔離開閉組立体の弾性絶縁体１５は、ハウジング１１の開口位置に固定されており、導体１４は、弾性絶縁体１５に固定され、且つ弾性絶縁体１５を挿通し、弾性絶縁体１５の変形によってコンタクト１３と接触または分離するようにとなっている。コンタクトは、隔離開閉組立体とハウジング１１とによって密閉包囲されている。なお、弾性密閉部材として、中空防水リング１２を用いることが好ましい。コネクタの隔離チャンバーは、接続時に発生する中空防水リングの弾性変形に伴って変形されるものである。図１に示すように、導体１４を隔離し、導体１４同士の押圧力により隔離開閉組立体を推進することで、コネクタのコンタクト１３が、導体１４を介して電気接続でき、これにより、防水絶縁性の接続が実現できる。
【００１７】
上記実施形態に基づいて、本発明の１つの実施形態に係る平圧式防水絶縁コネクタを説明する。
【００１８】
図１１に示すように、本実施形態の平圧式防水絶縁コネクタは、ハウジング３１と、中空防水リング３２と、コンタクト３３と、移動可能な導体３４と、弾性絶縁体３５とからなっている。平圧式の防水絶縁コネクタの構造は、図１２に示す立体図から分かるように、ハウジング３１の開口位置に、中空防水リング３２が設けられ、ハウジング３１の内部に、インタフェースに接続される対象と接続するコンタクト３３が設けられており、また、隔離開閉組立体の弾性絶縁体３５は、ハウジング３１の開口位置に固定されており、導体３４は、弾性絶縁体３５に固定され、且つ弾性絶縁体３５を挿通し、弾性絶縁体３５の変形によってコンタクト３３と接触または分離するようになっており、コンタクトは、隔離開閉組立体とハウジング３１とによって密閉包囲されている。
【００１９】
図１３は、平圧式防水絶縁コネクタのバッテリーに適用した場合の模式図であり、視覚的に、平圧式防水絶縁コネクタの実際の使用形態が判る。図１３において、ARは、一方の接続対象に用いられた平圧式防水絶縁コネクタの使用状態を示しており、BRは、他方の接続対象に用いられた平圧式防水絶縁コネクタの使用状態を示している。
【００２０】
また、図１２に示すように、平圧式防水絶縁コネクタを接続するときは、まず、２つの中空防水リング３２が相互接触して、ハウジング３１と共に隔離チャンバーを形成し、形成された隔離チャンバーにより２つの移動可能な導体３４を隔離する。この場合、２つの移動可能な導体３４は、それぞれ、２つのコンタクト３３と離間している。図１４では、平圧式防水絶縁コネクタの初期接触状態を示している。ここで、圧力を与え続けると、中空防水リング３２とハウジング３１とにより形成された隔離チャンバーが変形され、２つの移動可能な導体３４が互いに接触することになる。そして、この２つの移動可能な導体３４同士の押圧力によって、弾性絶縁体３５と移動可能な導体３４とからなった隔離開閉組立体を押圧し、弾性絶縁体３５の弾性力と抵抗することで、２つの移動可能な導体３４と２つのコンタクト３３とをそれぞれ互いに接触させる。これにより、防水接続が実現する。なお、図１５では、平圧式防水絶縁コネクタの終期接触状態子を示している。
【００２１】
このような平圧式防水絶縁コネクタの複数接続は、平圧式防水絶縁コネクタを並列設置して利用することで実現できる。図１６及び図１７は、平圧式防水絶縁コネクタを複数使用した場合を示す模式図である。
【００２２】
以下、本発明の他の実施形態に係る側圧式防水絶縁コネクタを説明する。
【００２３】
図１８のように、側圧式防水絶縁コネクタは、ハウジング７１と、中空防水リング７２と、コンタクト７３と、移動可能な導体７４と、弾性絶縁体７５とからなる側圧式防水絶縁コネクタのプラグ、および、ハウジング６１と、中空防水リング６２と、コンタクト６３と、移動可能な導体６４と、弾性絶縁体６５とからなる側圧式防水絶縁コネクタのレセプタクルを有している。側圧式防水絶縁コネクタの構造は、図１９に示す立体図からはっきりと分かる。
【００２４】
側圧式防水絶縁コネクタを接続するときには、まず中空防水リング６２と中芯防水リング７２とが互いに接触し、ハウジング６１、ハウジング７１と共に隔離チャンバーを形成して、導体６４と導体７４とを隔離する。ここで、導体６４および導体７４、コンタクト６３およびコンタクト７３は互いに離間されている。このとき、圧力を与え続けると、導体６４と導体７４とは互いに接触する。導体６４と導体７４との押圧力によって、弾性絶縁体６５と導体６４とからなった隔離開閉組立体、または、弾性絶縁体７５と導体７４とからなった隔離開閉組立体を押圧し、弾性絶縁体６５、弾性絶縁体７５の弾性力と抵抗することで、導体６４、導体７４はコンタクト６３、コンタクト７３とをそれぞれ互いに接触させる。これにより、防水絶縁コネクタが実現できる。
【００２５】
このような側圧式防水絶縁コネクタの複数接続は、図２０に示すように、側圧式防水絶縁コネクタを並列設置して利用することで実現できる。
【００２６】
本発明に係る防水絶縁コネクタのつの応用例として、図２１に示すように、上述した防水絶縁コネクタを具体的な電子装置に応用することで、当該電子装置の防水機能が実現できる。同図に示すように、防水隔離層８１と、防水絶縁コネクタ８２のハウジングとの組合せにより形成された防水チャンバー８３を形成し、当該防水チャンバー８３の内部に電子装置８４を囲んで配置する。また、電子装置８４のインタフェースは、防水絶縁コネクタ８２を介して外部と接続できる。その具体例として、例えば防水型携帯電話または防水型再生装置などが挙げられ、これらを、防水隔離層８１の内部に配置し、且つ、上記防水絶縁コネクタ８２を介して外部のインタフェースと接続させことで、電子装置と外部との電気的接続が実現でき、さらに、電子装置の防水機能も十分確保できる。
【００２７】
本明細書に開示された全ての特徴的構成、全ての方法または工程におけるステップは、互いに阻害する特徴的構成及び/またはステップを除き、任意に組み合わせることが可能である。
【００２８】
本明細書（任意の従属請求項、要約書、図も含む）に開示した何れの特徴的構成も、特別な記述がない限り、等価或いは類似した目的による代替特徴的構成に置き換えることが可能である。すなわち、特別な記述がない限り、何れの特徴的構成も、等価或いは類似した特徴を示す一例にしかすぎない。
【００２９】
本発明は上述した実施形態に限定されるものではなく、請求項に示した範囲で種々の変更が可能である。すなわち、請求項に示した範囲で適宜変更した技術的手段を組み合わせて得られる実施形態についても本発明の技術的範囲に含まれる。
【図１】
0005444341.tif 000002
【図２】
0005444341.tif 000003
【図３】
0005444341.tif 000004
【図４】
0005444341.tif 000005
【図５】
0005444341.tif 000006
【図６】
0005444341.tif 000007
【図７】
0005444341.tif 000008
【図８】
0005444341.tif 000009
【図９】
0005444341.tif 000010
【図１０】
0005444341.tif 000011
【図１１】
0005444341.tif 000012
【図１２】
0005444341.tif 000013
【図１３】
0005444341.tif 000014
【図１４】
0005444341.tif 000015
【図１５】
0005444341.tif 000016
【図１６】
0005444341.tif 000017
【図１７】
0005444341.tif 000018
【図１８】
0005444341.tif 000019
【図１９】
0005444341.tif 000020
【図２０】
0005444341.tif 000021
【図２１】
0005444341.tif 000022